(57)【特許請求の範囲】
【請求項１】
印刷が施されていない化粧鋼板であって、鋼板と、この鋼板の表面に直接ラミネートされたフィルム層を備え、前記フィルム層が、透光性を有する中間フィルムと、透光性を有し前記中間フィルムを介してラミネートされた最表層の表面フィルムの二重フィルムで構成され、前記表面フィルムの表面に凹凸部が形成されると共にこの凹凸部の表面に前記凹凸部よりも凹凸の小さいシボが形成され、前記中間フィルムがメタリックフィルムからなることを特徴とする化粧鋼板。
【請求項２】
前記表面フィルムと鋼板の間に介在する透光性を有する接着剤層に顔料が添加されたことを特徴とする請求項１に記載の化粧鋼板。
【請求項３】
前記顔料がパール顔料であることを特徴とする請求項２に記載の化粧鋼板。
【請求項４】
前記表面フィルムがＰＥＴフィルムであることを特徴とする請求項１乃至３のいずれか１項に記載の化粧鋼板。
【発明の詳細な説明】
【技術分野】
【０００１】
本発明は鋼板の表側に表面フィルムがラミネートされた化粧鋼板に関する。
【背景技術】
【０００２】
従来からユニットバスルームの壁パネル等に化粧鋼板が利用されている。
【０００３】
図３に示される従来の化粧鋼板１は、鋼板２の表面に化粧フィルム層１５がラミネートされている。化粧フィルム層１５は二重フィルムからなり、印刷が施された印刷フィルム１６と、ラミネートされる表面平滑で透明な表面フィルム４とで構成され、両者は透明な接着剤層１７を介して接着されている。
【０００４】
ところで、前記化粧鋼板１は、透明の表面フィルム４を透して印刷フィルム１６に印刷された柄模様が視認されるが、表面フィルム４は外観上の演出効果を高める機能を担っておらず、化粧鋼板１の外観は単調なものになりやすい。
【０００５】
また、特許文献１の壁パネルは、鋼板等で構成される基材と、基材の表面に形成された加飾層と、加飾層の表面に形成された凹凸層と、凹凸層の表面を覆う表面層とで構成され、前記凹凸層の表面には凹部と突部が形成されている。
【０００６】
この特許文献１の壁パネルは、表面層に侵入した光を凹部及び突部が形成された凹凸層の表面で乱反射させることで、幻想的な演出効果を得られるようになっている。
【０００７】
しかし、特許文献１の壁パネルも、最表面を構成する表面層が外観上の演出効果を高める機能を有していない。また、壁パネルの最表面となる表面層の表面が平滑であるため、外観も依然として平面的である。加えて、表面層に侵入した光を凹凸層の表面で乱反射させて演出を行っているものの、その外観は依然として変化に乏しい。
【０００８】
また、前記特許文献１の壁パネル及び図３に示される化粧鋼板１は、主に加飾層又は印刷フィルム１６に頼って化粧が表現されているため、見栄えを良くするには、前記加飾層又は印刷フィルム１６に印刷を施す必要がある。
【先行技術文献】
【特許文献】
【０００９】
【特許文献１】特開２００３−１２００５５号公報
【発明の概要】
【発明が解決しようとする課題】
【００１０】
本発明は前記事情に鑑みてなされたものであって、印刷を施すことなく見栄えの良い化粧鋼板を提供することを課題とする。
【課題を解決するための手段】
【００１１】
前記課題を解決するために本発明の化粧鋼板は、印刷が施されていない化粧鋼板であって、鋼板と、この鋼板の表面に直接ラミネートされたフィルム層を備え、前記フィルム層が、透光性を有する中間フィルムと、透光性を有し前記中間フィルムを介してラミネートされた最表層の表面フィルムの二重フィルムで構成され、前記表面フィルムの表面に凹凸部が形成されると共にこの凹凸部の表面に前記凹凸部よりも凹凸の小さいシボが形成され、前記中間フィルムがメタリックフィルムからなることを特徴とする。
【００１３】
また、前記表面フィルムと鋼板の間に介在する透光性を有する接着剤層に顔料が添加されることが好ましい。
【００１４】
また、前記顔料がパール顔料であることが好ましい。
【００１５】
また、前記表面フィルムがＰＥＴフィルムであることが好ましい。
【発明の効果】
【００１６】
本発明にあっては、印刷を施すことなく見栄えの良い化粧鋼板を提供できる。
【図面の簡単な説明】
【００１７】
【図１】第一実施形態の化粧鋼板の断面図である。
【図２】第二実施形態の化粧鋼板の断面図である。
【図３】従来の化粧鋼板の断面図である。
【発明を実施するための形態】
【００１８】
以下、本発明を添付図面に基づいて説明する。
【００１９】
（第一実施形態）
図１に示される第一実施形態の化粧鋼板１は、ユニットバスルームの壁をなす壁パネルとして用いられる。
【００２０】
化粧鋼板１は、鋼板２と、鋼板２の表面に直接ラミネートされたフィルム層３で構成されている。
【００２１】
鋼板２は、平滑な表面全域に塗装されたカラー鋼板からなり、鋼板２の表面は前記塗装の際に塗布された塗料からなる塗料層８で構成されている。
【００２２】
フィルム層３は厚さ２００μｍ以下の層であって、化粧鋼板１の透光性を有する最表層の表面フィルム４で構成されている。ここで、前記「透光性」及び以下で用いる「透光性」とは透明又は半透明であることを意味する。表面フィルム４は接着剤を用いて塗料層８の平滑な表面全域にラミネートされている。図中９は前記接着剤からなる透光性を有する接着剤層である。
【００２３】
表面フィルム４は、ポリエステル系樹脂、詳しくはＰＥＴ樹脂（ポリエチレンテレフタレート樹脂フィルム）からなる。表面フィルム４の表面には凹凸部５が形成されている。凹凸部５は、表面フィルム４の表面に凹凸加工を施すことにより、化粧鋼板１の裏面側に凹む凹部６と、化粧鋼板１の表面側に突出する凸部７を交互に多数連続的に形成してなる。前記凹凸部５としては、断面形状が四角形状や三角形状等、形状の異なる凹部６及び凸部７が形成され、すなわち、表面フィルム４の表面には不規則な凹凸部５が形成されている。
【００２４】
凹凸部５は、平均表面粗さを示すＲａ値が２０μｍ以下とされ、最大表面粗さを示すＲｔ値が５０μｍ以上とされる。具体的にはＲａ値が２０μｍであり、Ｒｔ値が５０μｍである。
【００２５】
凹凸部５の表面全域には凹凸部５よりも凹凸の小さい多数の微小凹凸からなるシボ１０が形成されている。シボ１０は、Ｒａ値が５μｍ以下とされ、Ｒｔ値が４０μｍ以下とされる。具体的には、Ｒａ値が３μｍであり、Ｒｔ値が３０μｍである。また、前記接着剤層９をなす透明な接着剤には顔料としてパール顔料が配合され、接着剤層９は入射光に対して多重反射を示す層となっている。
【００２６】
以上説明した本実施形態の化粧鋼板１は、最表層を構成する表面フィルム４の表面に凹凸部５が形成されると共に凹凸部５の表面に凹凸部５よりも凹凸の小さいシボ１０が形成されている。このため、化粧鋼板１の表面側から表面フィルム４及び接着剤層９を透過して鋼板２表面で反射した光は、表面フィルム４のシボ１０が形成された凹凸部５から様々な方向に不規則に出射される。これにより化粧鋼板１を表面側から見た場合には、異なる周波数の光が多く到達する箇所では鋼板表面が白味を帯びて見えると共に異なる周波数の光が到達しにくい箇所では鋼板表面が黒味を帯びて見える。このため印刷を施さなくても、あたかも化粧鋼板１の表面に柄模様を施したように見える。また、化粧鋼板１の表面側から表面フィルム４に達した光の一部はシボ１０が形成された凹凸部５で様々な方向に乱反射する。さらに、化粧鋼板１の最表層を構成する表面フィルム４の表面にシボ１０が形成された凹凸部５が形成されるので、化粧鋼板１は立体感のある外観となる。従って、本実施形態では、表面にシボ１０が形成された凹凸部５を有する表面フィルム４を鋼板２に貼り付けるだけで、化粧鋼板１に印刷を施すことなく、変化に富む外観の優れた化粧鋼板１を製造できる。
【００２７】
また、本実施形態の化粧鋼板１は、鋼板２と表面フィルム４の間に設けられた接着剤層９に顔料が添加され、この顔料も前記同様表面側から視認した場合にあたかも色調が変化するように見える。しかも、この顔料はパール顔料であるため、光沢感のある外観になる。従って、化粧鋼板１の外観はさらに向上する。
【００２８】
また、本実施形態の化粧鋼板１は、表面フィルム４がポリエステル系フィルム、特にＰＥＴフィルムである。このため表面が耐薬品性に優れ、浴室の壁パネル等に好適に用いることができる。
【００２９】
また、フィルム層３の厚さを２００μｍ以下にすることで、後工程で化粧鋼板１を折り曲げてもフィルム層３の剥離が生じ難い。
【００３０】
（第二実施形態）
次に上記第一実施形態とは異なる第二実施形態について説明する。なお、以下の第二実施形態の説明では第一実施形態と同一の構成については同一の番号を付与し、重複する説明は省略する。
【００３１】
図２に示される第二実施形態の化粧鋼板１は、表面フィルム４が鋼板２の表面に中間フィルム１２を介してラミネートされている。すなわち、フィルム層３は、中間フィルム１２と表面フィルム４の二重フィルムで構成されている。なお、フィルム層３の総膜厚は第一実施形態のフィルム層３と同様に２００μｍ以下とされている。
【００３２】
表面フィルム４は接着剤を用いて中間フィルム１２の表面にラミネートされ、中間フィルム１２は図示しない接着剤を介して鋼板２の表面にラミネートされる。また、前記表面フィルム４を中間フィルム１２の表面にラミネートするのに用いられる接着剤は、第一実施形態と同様の接着剤層９を構成し、すなわち本実施形態の接着剤層９も透光性を有し、パール顔料が配合されている。なお、図２では中間フィルム１２を鋼板２の表面に接着するための接着剤からなる接着剤層の図示を省略している。
【００３３】
中間フィルム１２は透光性を有し、例えばＰＥＴ樹脂等のポリエステル系フィルムからなり、その表面全域には塗料が塗布されて化粧層１３が形成されている。
【００３４】
中間フィルム１２は、添加材としてアルミ粉を含むメタリックフィルムからなり、金属的な光沢のある外観を有する。なお、中間フィルム１２はアルミ以外のその他の金属系材料を含むメタリックフィルムであってもよく、また、添加材としては粉状のものに限られず、例えば鱗片状であってもよい。また、本実施形態の鋼板２には表面に塗装が施されていない。
【００３５】
本実施形態でも最表層を構成する表面フィルム４の表面に凹凸部５が形成されると共に凹凸部５の表面に凹凸部５よりも凹凸の小さいシボ１０が形成されている。このため、化粧層１３や接着剤層９、鋼板２等で反射した光は、表面フィルム４のシボ１０が形成された凹凸部５で様々な方向に不規則に出射する。従って、本実施形態でも印刷を施すことなく、変化に富んだ外観の良い化粧鋼板１を製造できる。
【００３６】
また、本実施形態では、中間フィルム１２がメタリックフィルムからなるので、中間フィルム１２で光を反射し、これを表面フィルム４のシボ１０が形成された凹凸部５で様々な方向に不規則に出射することができ、さらに外観を向上できる。
【００３７】
なお、前記各実施形態では表面フィルム４に不規則な凹凸部５を形成したが、凹凸部５は同形状の凹部６と凸部７が形成される規則的なものであってもよい。
【００３８】
また、表面フィルム４は透光性を有するものであればよく、半透明なものであってもよい。また、前記接着剤層９をなす接着剤にはパール顔料以外の顔料を添加してもよいし、顔料を添加しなくてもよい。
【００３９】
また、表面フィルム４はＰＥＴ樹脂からなるが、その他のポリエステル系樹脂であってもよく、さらにはアクリル系樹脂からなるアクリル系フィルムであってもよい。
【００４０】
また、第一実施形態の鋼板２はカラー鋼板からなるが、表面に塗装が施されていない鋼板であってもよい。また、第二実施形態の鋼板２も表面に塗装が施されたカラー鋼板であってもよく、また化粧層１３を省略してもよい。
【００４１】
また、本発明は例えば他の水廻り商品で用いられる化粧鋼板等に適用しても構わない。
【符号の説明】
【００４２】
１  化粧鋼板
２  鋼板
４  表面フィルム
５  凹凸部
１０  シボ
１２  中間フィルム
【図１】
0005592765.tif 000002
【図２】
0005592765.tif 000003
【図３】
0005592765.tif 000004